(57)【特許請求の範囲】
【請求項１】
前面パネルと後板との組立て体から構成され被空調室の壁面に取付け固定されるユニット本体であり、このユニット本体内部に、駆動モータ、この駆動モータの回転軸に連結される横流ファン、この横流ファンの他端側の軸受けを備えた送風機が配置され、さらにこの送風機の横流ファンを囲むように前面パネルの前部と上部に亘って折曲形成される熱交換器が収容配置され、この熱交換器に対向する前面パネルの前部と上部に吸込み口が設けられ、下部には吹出し口が設けられ、上記吸込み口から吹出し口に通じるユニット本体内の後板に上記熱交換器および横流ファンが配置される通風路を備えた空気調和機の室内ユニットにおいて、
上記ユニット本体を構成する前面パネルは、閉塞された両側板部、上部吸込み口と前部吸込み口および吹出し口を形成するよう上記両側板部を一体に連結する複数の桟部、上記吹出し口の両側部と下端縁に沿う部分の一部がそのまま延設された吹出し口通風路構成部、この吹出し口通風路構成部端部から一体に背面側に延出される下端面部とで構成される配管収納カバーを備え、
上記ユニット本体を構成する後板は、湾曲部分による通風路構成部、上部に上記熱交換器の背面側下端部が配置される後ドレンパン、上記前面パネルとともに吹出し口を構成し、かつ熱交換器の前面側下端部が配置される前ドレンパン、これら後ドレンパンの両側端部から一体に突出して上記前ドレンパンに架設され、後ドレンパンで捕集したドレン水を前ドレンパンに導くドレン樋が設けられるとともに、送風機の駆動モータと横流ファンの他端側の軸受けをそれぞれ支持し、さらに上記熱交換器の両側端部を支持する連結部を備えたことを特徴とする空気調和機の室内ユニット。
【発明の詳細な説明】
【０００１】
【発明の属する技術分野】
本発明は、空気調和機の室内ユニットに係り、特に、ユニット本体の改良に関する。
【０００２】
【従来の技術】
普通用いられる空気調和機は、被空調室に取付けられる室内ユニットと、建屋外部に据付けられる室外ユニットとを、冷媒配管等を介して接続してなる。上記室内ユニットのユニット本体は、被空調室の壁面に取付け固定されるタイプが多用される。
【０００３】
そして室内ユニットは、図６に示すように、前面パネル１と後板２との組合わせでユニット本体３が形成され、このユニット本体内部に熱交換器４と、送風機５が収容配置される。
【０００４】
近時の傾向として、同図に示すように熱交換器４は複数に分割され、横流ファンと駆動用モータとからなる上記送風機５の前後を後板側を除いて沿う。そして、上記熱交換器４は前面パネル１の前部および上部に亘って対向するよう折曲形成される。
【０００５】
上記前面パネル１における熱交換器４と対向する前面部および上面部に、吸込み口（図示しない）が設けられる。前面パネル１の下部には、後板２の端部とともに吹出し口６が形成される。
【０００６】
上記後板２は、上下方向の中央部において送風機５に沿って曲成しており、下部側において上記吹出し口６に連通する吹出し口通風路７が形成される。この最下端部は後方へ折曲され、裏面側に位置する配管類を遮蔽するための配管収納カバー８が形成される。
【０００７】
【発明が解決しようとする課題】
上記熱交換器４に対する冷凍サイクル運転をなすことにより、冷房作用もしくは暖房作用が得られるが、特に冷房時には熱交換器表面が露点以下に温度低下し、ここに導かれる被空調室空気に含まれる水分が凝縮して、いわゆるドレン水が生成されることは周知である。
【０００８】
ドレン水は熱交換器４表面に沿って流下し、この下端部に対向して設けられる前，後ドレンパン１０ａ，１０ｂが受ける。これらドレンパン１０ａ，１０ｂにはドレンホースが接続されていて、集溜されたドレン水はただちに室外へ排出される。
【０００９】
このように機能的には何らの支障もない上記前，後ドレンパン１０ａ，１０ｂであるが、その構成および組立て作業的には問題が多い。
すなわち、従来のような平板直状の熱交換器であれば、その下端部に一つのドレンパンを配置すれば足りるが、上述したような複数の部分に折曲される熱交換器４の場合には、この前側下端部と対向する前ドレンパン１０ａと、後側下端部と対向する後ドレンパン１０ｂとを、それぞれ備えなければならない。
【００１０】
当然、この前ドレンパン１０ａと後ドレンパン１０ｂとでは高さ位置が極端に異なるとともに、熱交換器４の折曲状態に応じて斜めに傾けた状態で取付けるようになっている。
【００１１】
後ドレンパン１０ｂは、その位置的な関係から後板２と一体に設けられるが、前ドレンパン１０ａと後ドレンパン１０ｂとの間に送風機５が介在しているので、前ドレンパンを後板２と一体に設けることができず、別部品となっている。
【００１２】
勿論、前ドレンパン１０ａは前面パネル１に対しても別部品として用意され、ユニット本体３を構成する左右の側板にシール材を介してねじ止めによる取付け固定がなされている。
【００１３】
したがって、部品数が多くなるとともに、前ドレンパン１０ａの組立て作業が極めて面倒でコストに悪影響を与えている。また、ユニット本体３に対して別部品の前ドレンパン１０ａであるので、ユニット本体３の剛性向上に寄与していない。
【００１４】
さらに、後ドレンパン１０ｂで受けたドレン水を樋等で前ドレンパン１０ａに流す構造もあるが、樋と互いのドレンパンとの取付け部分に段差が生じ易く、ドレン水の流れが不確実となる、等々の不具合があった。
【００１５】
本発明は、上記事情に鑑みなされたものであり、その目的とするところは、複数の部分に折曲される熱交換器でそれぞれに生成されるドレン水を受ける複数のドレンパンを備えなければならない構成であっても、部品数の低減を図り、組立て作業の容易化を得るとともに、ドレン水の確実な処理および部品の有効化を図れる空気調和機の室内ユニットを提供することにある。
【００１６】
【課題を解決するための手段】
上記目的を満足すべく本発明は、前面パネルと後板との組立て体から構成され被空調室の壁面に取付け固定されるユニット本体であり、このユニット本体内部に、駆動モータ、この駆動モータの回転軸に連結される横流ファン、この横流ファンの他端側の軸受けを備えた送風機が配置され、さらにこの送風機の横流ファンを囲むように前面パネルの前部と上部に亘って折曲形成される熱交換器が収容配置され、この熱交換器に対向する前面パネルの前部と上部に吸込み口が設けられ、下部には吹出し口が設けられ、上記吸込み口から吹出し口に通じるユニット本体内の後板に上記熱交換器および横流ファンが配置される通風路を備えた空気調和機の室内ユニットにおいて、
上記ユニット本体を構成する前面パネルは、閉塞された両側板部、上部吸込み口と前部吸込み口および吹出し口を形成するよう両側板部を一体に連結する複数の桟部、吹出し口の両側部と下端縁に沿う部分の一部がそのまま延設された吹出し口通風路構成部、この吹出し口通風路構成部端部から一体に背面側に延出される下端面部とで構成される配管収納カバーを備え、  
上記ユニット本体を構成する後板は、湾曲部分による通風路構成部、上部に熱交換器の背面側下端部が配置される後ドレンパン、前面パネルとともに吹出し口を構成し、かつ熱交換器の前面側下端部が配置される前ドレンパン、これら後ドレンパンの両側端部から一体に突出して前ドレンパンに架設され、後ドレンパンで捕集したドレン水を前ドレンパンに導くドレン樋が設けられるとともに、送風機の駆動モータと横流ファンの他端側の軸受けをそれぞれ支持し、さらに熱交換器の両側端部を支持する連結部を備えたことを特徴とする。
【００１９】
このような課題を解決する手段を採用することにより、後ドレンパンと前ドレンパンのユニット本体内における配設位置がずれることなく所定位置に確実に配置でき、このため熱交換器や送風機の配置位置にばらつきが生じることがなく、量産性の高い製品が提供でき、さらに、前後ドレンパンとドレン樋とを一体に形成して、これら相互の接合部が存在しないから、据付け後の使用により接合部のシールが劣化したり、運転中の振動により接合部がずれてドレン水が漏れたり、流れ具合が悪くなって補強やシールを施す必要がなく、さらに連結部ではドレン樋ばかりでなく、送風機を構成する駆動モータと横流ファンの軸受けを支持するとともに、熱交換器の両側端部の支持まで兼用する。
【００２０】
【発明の実施の形態】
以下、本発明の実施の形態を、図面を参照して説明する。
図１は組み立てられた空気調和機の室内ユニットを示し、図２および図３は室内ユニットを分解して示す。
【００２１】
ユニット本体２０は、前面パネル２１と後板２２との組立て体から構成される。上記前面パネル２１は、閉塞された両側板部２３，２３を備え、これら両側板部を複数の桟部２４…で一体に連結してなる。
【００２２】
上記桟部２４は、側板部２３の上面後部と、前面上部と、前面下部および下面後部のそれぞれに位置しており、これら桟部の相互空間が、上部吸込み口２５ａ、前部吸込み口２５ｂおよび吹出し口２６として形成されることになる。
【００２３】
この前面パネル２１の上部吸込み口２５ａおよび前部吸込み口２５ｂに対向する前面側には吸込みグリル２７が取付けられる。この吸込みグリル２７に沿うグリルの裏面側で、かつ前面パネル２１の前面側にはフィルタ２８が着脱自在に挿着される。すなわちフィルタ２８は、前面パネル２１に設けられる上記吸込み口２５ａ，２５ｂに対して着脱自在である。
【００２４】
上記吹出し口２６の両側部と、この下端縁に沿う部分は、前面パネル２１の一部がそのまま延設され、吹出し口通風路２９を構成する通風路構成部３０となっている。
【００２５】
前面パネル２１の通風路構成部３０と、この吹出し口２６端部から一体に背面側に延出される下端面部とで配管収納カバー３１が構成される。この配管収納カバー３１内に、補助配管３２やドレンホース３３などが収容される。
【００２６】
配管収納カバー３１の先端には、爪部３４が一体に設けられる。この爪部３４は、ユニット本体２０を被空調室の壁面Ｋに据付けるにあたって、予め壁面に取付け固定される据付け板３５の係止孔３６に係止される。
上記据付け板３５の上端部には係止片３７が形成され、この係止片３７に後板２２に設けられた係止部３８が係止される。
【００２７】
一方、上記通風路構成部３０の吹出し口通風路２９に対向する位置に風向調整部４０が設けられる。この風向調整部４０は、通風路構成部３０上に所定間隔を存して直接設けられる複数の左右ルーバ４１と、これら左右ルーバのほぼ中央部に立設される支持板４４を介して枢支される上下ルーバ４３とからなる。
【００２８】
図４にも示すように、上記後板２２の両側端部には連結部５１，５１が設けられていて、ここで送風機５０を支持する。上記送風機５０は、一側の連結部５１に支持される駆動モータ５２と、この駆動モータの回転軸に連結される横流ファン５３と、この横流ファンの他端側軸部を軸支し、他側の連結部５１に取付けられる軸受け具５４とから構成される。
【００２９】
上記後板２２の上部には、この幅方向に沿って後ドレンパン５５が一体に設けられる。この後ドレンパン５５は、斜め前方に傾斜した状態で設けられていて、後述する熱交換器５６の背面側下端部を支持する。したがって上記連結部５１，５１は、上記後ドレンパン５５の両側端部からそれぞれ前方へ延出して一体に設けられてなる。
【００３０】
上記熱交換器５６は、多数枚のフィンを狭小の間隙を存して並設するとともに、これらフィンに熱交換パイプを貫通し、かつフィンの両側端部において隣接する熱交換パイプをＵベンド部で接続して、蛇行状の冷媒導通部を形成する、いわゆるフィンドチューブタイプのものである。
【００３１】
そして、この成形にあたって、各フィン一側部で所定位置（ここでは３か所）に切り込みがなされ、熱交換パイプを貫通固着した後、切り込み部を境に折り曲げ付勢する。成形された熱交換器５６は、切り込み部から変形した折り曲げ部を境に上下に４分割され、熱交換器５６の側端部に設けられる端板によって折り曲げ状態が保持されてなる。
【００３２】
この熱交換器５６の背面側下端部が上述の後ドレンパン５５上に配置された状態で、熱交換器は上記送風機５０の横流ファン５３を吹出し口通風路２９を除いて沿うように配置される。
【００３３】
また、熱交換器５６は上記前面パネル２１に設けられる上部吸込み口２５ａと前部吸込み口２５ｂに対向する部位にある。熱交換器５６の前面側下端部は、後述する前ドレンパン５７に支持される。したがって、上記熱交換器５６は折曲形成されることにより、上記送風機５０の特に、横流ファン５３の前後を囲むように配置される。
【００３４】
なお説明すれば、前ドレンパン５７と後ドレンパン５５との間に送風機５０の横流ファン５３が介在している。しかも、前後ドレンパン５７，５５の全長と横流ファン５３の軸長は、互いにほぼ同一長さに形成され、かつほとんど正対した位置に配置される。
【００３５】
上記熱交換器５６の側端部に設けられる端板が、図示しない固定具を介して左右の連結部５１，５１に取付け固定され、これら連結部５１，５１が熱交換器支持部を兼用する。
【００３６】
後板２２の両側部である連結部５１，５１相互間は、上記横流ファン５３に沿って湾曲した断面形状をなし、さらに延出して、その下端部には前面パネル２１の通風路構成部３０先端に係合連結する段部２２ａが形成される。
したがって、組み立てられた状態で後板２２の湾曲部分は、前面パネル２１とともに通風路構成部３０が形成される。
【００３７】
上記段部２２ａと所定間隔を存し、上記連結部５１，５１の先端部相互に亘って上記前ドレンパン５７が斜め前方に傾斜した状態で一体に架設されている。前ドレンパン５７の横流ファン５３に対向する部分はノーズ部５７ａとして形成されるとともに、下部前端縁は一体に延出されている。
【００３８】
この前ドレンパン５７の前端縁延出部は、組み立てられた状態で前面パネル２１に形成される吹出し口２６の上端縁に沿っていて、したがってこの下面は前面パネル２１の通風路構成部３０とともに吹出し口通風路２９を構成する。
【００３９】
図５（Ａ）に拡大して示すように、一方の連結部５１の内側、すなわち上記通風路構成部３０側にドレン樋５８が一体に設けられる。このドレン樋５８の後端部は上記後ドレンパン５５に開口し、前端部は上記前ドレンパン５７に開口しており、後ドレンパンと前ドレンパンとを連通する。
【００４０】
このドレン樋５８は図５（Ｂ）に示すように、横流ファン５３の軸受け具５４を避けるように後ドレンパン５５の端部から略真下にドレン水を流し、その後緩やかな斜面で前ドレンパン５７にドレン水を導くように、中間部が略直角状に形成される。
【００４１】
そして、ドレン樋５８を直角状に形成する金型の関係から、ドレン樋５８近傍の通風路構成部３０も直角に形成されるため、再び図５（Ａ）に示すように、ドレン樋５８のさらに内側である通風路構成部３０側には複数のリブ５９が設けられる。これらリブ５９の前端縁は、上記横流ファン５３の形状に沿うよう、Ｒ状に曲成される。
【００４２】
上記リブ５９を設けることによって、通風路構成部３０は直角部分を形成することなく、横流ファン５３に沿った形状にできるので、ドレン樋５８を通風路構成部３０内に設けたとしても送風特性が低下することがない。
【００４３】
このようにして構成される室内ユニットであり、熱交換器５６に対する冷凍サイクル運転をなすとともに送風機５０を駆動することにより、被空調室内空気が前部吸込み口２５ａと上部吸込み口２５ｂからユニット本体２０内に吸込まれ、熱交換器５６を通過して熱交換をなす。
【００４４】
熱交換した後の熱交換空気は、吹出し口通風路２９に案内されて吹出し口２６から被空調室内へ吹出される。このとき、左右ルーバ４１と上下ルーバ４３とで吹出し方向を任意に設定できる。
【００４５】
なお、このようなユニット本体２０を構成する後板２２を採用することにより、以下に述べるような利点がある。
すなわち、横流ファン５３を囲むように折曲された熱交換器５６を備えたので、ドレンパン位置が複数に分かれる。しかしながら、上記後板２２に一体に後ドレンパン５５を設けるとともに連結部５１を介して前ドレンパン５７を一体に備えたので、部品数を増加することなくドレン水を確実に集溜する。
【００４６】
そして、後ドレンパン５５および前ドレンパン５７に加え、ドレン樋５８を一体に形成したので、それぞれの接続作業を必要とせず、それぞれの取付け部分に段差が生じることもなく、後ドレンパン５５で受けたドレン水は、ドレン樋５８を伝わって前ドレンパン５７にスムーズに導かれ、ここに接続される図示しないドレンホースを介して確実に外部に排出される。
【００４７】
上記ドレン樋５８は、後板２２と前ドレンパン２１とを連結する連結部５１を利用して備えたものであるから、部品の有効利用を図って部品数を低減させ、かつユニット本体２０としての横幅寸法の低減を図れる。
【００４８】
さらにドレン樋５８を、後板２２と前ドレンパン５７とで構成される吹出し口通風路２９内部に位置するようにしたので、後ドレンパン５５のドレン水を吹出し口通風路２９外に導くための開口がなくなり、この開口から熱交換されない空気、いわゆる生空気が吹出し口通風路２９内に流入することもなく、生空気吸込みによる吹出し風の温度変化や吹出し口通風路２９内でのドレン水の凝縮等が防止できる。
【００４９】
成形金型の関係でドレン樋５８が直角に形成され、この近傍の通風路構成部３０まで直角に形成してしまうと、横流ファン５３の送風特性に対する悪影響が生じる。
【００５０】
しかるに、このドレン樋５８近傍部位に、横流ファン５３の形状に沿うよう湾曲形成するリブ５９を一体に設けたから、ファン５３の送風特性の低下を防ぐことができる。
【００５１】
上記連結部５１，５１において、上記送風機５０を支持するとともに上記熱交換器５６を支持するようにしたので、部品を増加させることなく必要な機能を有する。
【００５２】
【発明の効果】
以上説明したように本発明によれば、部品の有効利用を図って、部品数を低減させ、組立て作業の容易化を得てコストの低減に寄与するとともにドレン水の確実な処理をなし、さらにはユニット本体の剛性の増強化を得られる等の種々の効果を奏する。
【図面の簡単な説明】
【図１】本発明の実施の形態を示す、空気調和機の室内ユニットの縦断面図。
【図２】同実施例の室内ユニットの分解した縦断面図。
【図３】同実施例の室内ユニットの分解した斜視図。
【図４】同実施例の後板と、この後板に配置される送風機および熱交換器の分解した斜視図。
【図５】（Ａ）および（Ｂ）は、同実施例の後板の、互いに異なる一部を省略した斜視図。
【図６】従来例を示す、空気調和機の室内ユニットの縦断面図。
【符号の説明】
２１…前面パネル、
２２…後板、
２０…ユニット本体、
５２…駆動モータ、
５４…軸受け具、
５３…横流ファン、
５０…送風機、
５６…熱交換器、
２５ａ…前部吸込み口、
２５ｂ…上部吸込み口、
５５…後ドレンパン、
５１…連結部、
５７…前ドレンパン、
５８…ドレン樋、
３０…通風路構成部、
２９…吹出し口通風路、
５９…リブ。
【図１】
0003572248.tif 000002
【図２】
0003572248.tif 000003
【図３】
0003572248.tif 000004
【図４】
0003572248.tif 000005
【図５】
0003572248.tif 000006
【図６】
0003572248.tif 000007